(57)【特許請求の範囲】
【請求項１】
コイル導体と、そのコイル導体に取り付けられたソケットまたはコネクタと、コンデンサを搭載し前記ソケットまたはコネクタに着脱可能なコンデンサボードとを具備したことを特徴とするＭＲＩ用ＲＦコイル。
【請求項２】
容量の異なるコンデンサをそれぞれ搭載した請求項１に記載のコンデンサボードを複数用意し、請求項１に記載のＭＲＩ用ＲＦコイルを使用するＭＲＩ装置のマグネットの強さに適合した容量のコンデンサを搭載したコンデンサボードを選択し、該コンデンサボードを装着することを特徴とするＭＲＩ用ＲＦコイルの共振周波数調整方法。
【発明の詳細な説明】
【０００１】
【発明の属する技術分野】
本発明は、ＭＲＩ用ＲＦコイルおよびその共振周波数調整方法に関し、さらに詳しくは、部品コストを低減できると共に共振周波数の調整の作業工程を簡素化でき且つ調整時間を短縮できるＭＲＩ用ＲＦコイルおよびその共振周波数調整方法に関する。
【０００２】
【従来の技術】
図５は、従来のＭＲＩ用ＲＦコイルおよびその共振周波数調整方法を示す説明図である。
このＭＲＩ用ＲＦコイル５００は、コイル導体１と、固定コンデンサ２と、可変（半固定）コンデンサであるトリマコンデンサ５３とを具備している。
前記固定コンデンサ２は共振周波数の固定分を分担し、前記トリマコンデンサ５３は共振周波数の可変分を分担する。
【０００３】
ＭＲＩ用ＲＦコイル５００の共振周波数の調整は、ＭＲＩ用ＲＦコイル５００に共振周波数測定器ＭＸを接続し、ＭＲＩ用ＲＦコイル５００を使用するＭＲＩ装置のマグネットの強さに適合した共振周波数になるようにトリマコンデンサ５３を調整する。なお、マグネットの強さは、ＭＲＩ装置を設置している病院に聞いたり、実測したりする。
【０００４】
【発明が解決しようとする課題】
上記従来のＭＲＩ用ＲＦコイル５００では、トリマコンデンサ５３を必要とするが、非磁性で且つ耐圧の高いトリマコンデンサは高価であるため、コスト高になる問題点がある。
また、上記従来のＭＲＩ用ＲＦコイル５００の共振周波数調整方法では、共振周波数測定器ＭＸを接続し、トリマコンデンサ５３を調整し、その後、共振周波数測定器ＭＸを外す、といった作業工程が煩雑であり、調整時間が長くかかる問題点がある。
そこで、本発明の目的は、部品コストを低減できると共に共振周波数の調整の作業工程を簡素化でき且つ調整時間を短縮できるＭＲＩ用ＲＦコイルおよびその共振周波数調整方法を提供することにある。
【０００５】
【課題を解決するための手段】
第１の観点では、本発明は、コイル導体と、そのコイル導体に取り付けられたソケットまたはコネクタと、コンデンサを搭載し前記ソケットまたはコネクタに着脱可能なコンデンサボードとを具備したことを特徴とするＭＲＩ用ＲＦコイルを提供する。
上記第１の観点によるＭＲＩ用ＲＦコイルでは、コイル導体にソケットまたはコネクタを取り付け、そのソケットまたはコネクタにコンデンサボードを着脱するようにした。このコンデンサボードは、トリマコンデンサに比べて安価に製造できるため、部品コストを低減できる。
なお、上記構成で「ソケットまたはコネクタ」と表現したが、これはコイル導体とコンデンサボードとを着脱可能にする接続手段を広く意味するもので、狭義の「ソケットまたはコネクタ」に限定されるものではない。
【０００６】
第２の観点では、本発明は、容量の異なるコンデンサをそれぞれ搭載した請求項１に記載のコンデンサボードを複数用意し、請求項１に記載のＭＲＩ用ＲＦコイルを使用するＭＲＩ装置のマグネットの強さに適合した容量のコンデンサを搭載したコンデンサボードを選択し、該コンデンサボードを装着することを特徴とするＭＲＩ用ＲＦコイルの共振周波数調整方法を提供する。
上記第２の観点によるＭＲＩ用ＲＦコイルの共振周波数調整方法では、容量の異なるコンデンサをそれぞれ搭載したコンデンサボードの中から、ＭＲＩ用ＲＦコイルを使用するＭＲＩ装置のマグネットの強さに適合した容量のコンデンサを搭載したコンデンサボードを選択し、ソケットまたはコネクタに装着するようにした。これによれば、コンデンサボードを選択し装着する作業だけで済み、共振周波数測定器を接続したり外したりする必要がなく、共振周波数測定器を見ながらトリマコンデンサを調整する必要もないので、作業工程を簡素化でき、調整時間も短縮できる。
【０００７】
【発明の実施の形態】
以下、図に示す発明の実施の形態を説明する。なお、これにより本発明が限定されるものではない。
図１は、本発明の一実施形態にかかるＭＲＩ用ＲＦコイルの斜視図である。
このＭＲＩ用ＲＦコイル１００は、コイル導体１と、固定コンデンサ２と、そのコイル導体１に取り付けられたソケット３と、固定コンデンサ１１を搭載し前記ソケット３に着脱可能なコンデンサボード１０とを具備している。
前記固定コンデンサ２は共振周波数の固定分を分担し、前記固定コンデンサ１１は共振周波数の可変分を分担する。
【０００８】
図２は、前記ＭＲＩ用ＲＦコイル１００にコンデンサボード１０を装着する前の状態を示す要部斜視図である。
前記ソケット３にはピン５が立設してあり、これらピン５がコンデンサボード１０のホール１５に挿入されて、コイル導体１とコンデンサ１１とが電気的に接続されると、コンデンサボード１０を装着した状態となる。
【０００９】
図３は、コンデンサボード１０にそれぞれ搭載するコンデンサ１１の容量と対応する共振周波数の例示図である。
まず、コンデンサボード１０に搭載するコンデンサ１１の容量が１００ｐＦのときに共振周波数が８，５５０ｋＨｚとなるように、固定コンデンサ２の容量が決めてある。
そして、コンデンサボード１０にそれぞれ搭載するコンデンサ１１の容量は、共振周波数が１０ｋＨｚ刻みで異なるような容量にしてある。例えば、コンデンサ１１の容量がＣ６のとき、共振周波数は８，５６０ｋＨｚとなる。
【００１０】
図４は、Ｓ／Ｎ（信号ノイズ比）の周波数特性図である。
ＭＲＩ装置の共振周波数ｆｏからＭＲＩ用ＲＦコイル１００の共振周波数が２０ｋＨｚ離れると、Ｓ／Ｎが５％程度低下する。
そこで、コンデンサボード１０にそれぞれ搭載するコンデンサ１１の容量が共振周波数の１０ｋＨｚ刻みに変えてある場合、ＭＲＩ装置の共振周波数ｆｏからのＭＲＩ用ＲＦコイル１００の共振周波数のずれは最大５ｋＨｚとなる。従って、図４の特性から、Ｓ／Ｎの低下は、最大１.５％程度となる。しかし、この程度のＳ／Ｎの低下は無視してよい。
【００１１】
ＭＲＩ用ＲＦコイル１００の共振周波数の調整は、次のようにして行う。
（１）ＭＲＩ装置を設置している病院に聞いたり、実測したりして、マグネットの強さを調べる。
（２）マグネットの強さから共振周波数ｆｏを計算する。
（３）計算した共振周波数ｆｏにＭＲＩ用ＲＦコイル１００の共振周波数が最も近くなるような容量のコンデンサ１１を搭載したコンデンサボード１０を選択し、装着する。
【００１２】
例えば、マグネットの強さから計算した共振周波数ｆｏが８，５５８ｋＨｚとすれば、図３の容量Ｃ６のコンデンサ１１を搭載したコンデンサボード１０を選択し、装着すればよい。
この場合、ＭＲＩ装置の共振周波数ｆｏからのＭＲＩ用ＲＦコイル１００の共振周波数のずれは２ｋＨｚとなる。従って、図４の特性から、Ｓ／Ｎの低下は、０.５％程度となる。この程度のＳ／Ｎの低下は無視できる。
【００１３】
【発明の効果】
本発明のＭＲＩ用ＲＦコイルおよびその共振周波数調整方法によれば、ＭＲＩ用ＲＦコイルを使用するＭＲＩ装置のマグネットの強さに適合した容量のコンデンサを搭載したコンデンサボードを選択し、装着する作業だけで共振周波数の調整が済むので、作業工程を簡素化でき、調整時間も短縮できる。また、高価なトリマコンデンサを要しないから、部品コストを低減できる。
【図面の簡単な説明】
【図１】本発明の一実施形態にかかるＭＲＩ用ＲＦコイルの斜視図である。
【図２】コンデンサボードを装着する前のＭＲＩ用ＲＦコイルの要部斜視図である。
【図３】コンデンサボードに搭載するコンデンサの容量と共振周波数の関係を示すグラフ図である。
【図４】ＭＲＩ装置の共振周波数とＭＲＩ用ＲＦコイルの共振周波数のずれとＳ／Ｎの関係を示すグラフ図である。
【図５】従来のＭＲＩ用ＲＦコイルおよびその共振周波数調整方法の説明図である。
【符号の説明】
１            コイル導体
２            固定コンデンサ
３            ソケット
５            ピン
１０          コンデンサボード
１１          固定コンデンサ
１２          ホール
【図１】
0004177940.tif 000002
【図２】
0004177940.tif 000003
【図３】
0004177940.tif 000004
【図４】
0004177940.tif 000005
【図５】
0004177940.tif 000006